(57)【要約】      （修正有）【課題】リングバインダを生産するために使用される材料が著しく削減されると共に、２つのリング部材の開く距離を、ルーズリーフ用紙をリングから出し入れするのを容易にするリングバインダ機構を提供する。【解決手段】ピボット運動できる形でハウジングに支持されたヒンジプレートと、２つのリング部材のうち一方は、対応するヒンジプレートに設置され、前記対応するヒンジプレートのピボット運動に伴いもう一方のリング部材に対して閉状態と開状態との間を移動することができるようにした。そして、２つのリング部材のうちルーズリーフ用紙を保持するためのリング部分が位置する平面に対して成す内角を、それぞれ９０度以下にした。【選択図】図９
2007245721.tif 000002
【特許請求の範囲】
【請求項１】
ルーズリーフ用紙を保持するためのリングバインダ機構であって、
上部と前記上部とほぼ対向した開口底部とを備えたハウジングと、
ハウジングに対してピボット運動できる形で前記ハウジングに支持された２つのヒンジプレートと、
ルーズリーフ用紙を保持するための複数のリングであって、リングはそれぞれリング部材を２つ有し、２つのリング部材のうち少なくとも一方は、対応するヒンジプレートに設置され、前記対応するヒンジプレートのピボット運動に伴いもう一方のリング部材に対して閉状態と開状態との間を移動することができ、２つのリング部材は、閉状態では、リングにより保持されたルーズリーフ用紙が１つのリング部材からもう１つのリング部材へリングに沿って移動できるようほぼ途切れのない閉じたループを形成しており、開状態では、リングからルーズリーフ用紙の出し入れできるよう途切れのある開いたループを形成している、という複数のリングと、
回転可能な形で設置された制御手段であって、回転してヒンジプレートのピボット運動を生じさせ、当該運動がリング部材を閉状態に動かす、という制御手段と、を有し、
リング部材はそれぞれ、ルーズリーフ用紙を保持するためのリング部分とヒンジプレートまたはハウジングに設置するためのリング部分とを有し、ハウジングの長手方向の端に近接する形で設置された２つのリングのうち少なくとも一方の２つのリング部材のうちヒンジプレートまたはハウジングに設置するためのリング部分が、２つのリング部材のうちルーズリーフ用紙を保持するためのリング部分が位置する平面に対して成す内角は、それぞれ９０度以下であること、
を特徴とするリングバインダ機構。
【請求項２】
ヒンジプレートまたはハウジングに設置するためのリング部分は真っ直ぐで、ルーズリーフ用紙を保持するためのリング部分が位置する平面に対して９０度未満の内角を成していること、
を特徴とする請求項１に記載のリングバインダ機構。
【請求項３】
ヒンジプレートまたはハウジングに設置するためのリング部分はL字形で、ルーズリーフ用紙を保持するためのリング部分が位置する平面に対して９０度の内角を成していること、
を特徴とする請求項１に記載のリングバインダ機構。
【請求項４】
各リングの２つのリング部材は対応する形で２つのヒンジプレートに設置されていること、
を特徴とする請求項１に記載のリングバインダ機構。
【請求項５】
ハウジングの長手方向の端に近接する形で設置された２つのリングの２つのリング部材のヒンジプレートまたはハウジングに設置するためのリング部分が、２つのリング部材のルーズリーフ用紙を保持するためのリング部分が位置する平面に対して成す内角はそれぞれ９０度以下であること、
を特徴とする請求項１に記載のリングバインダ機構。
【請求項６】
２つのヒンジプレートは、それらの外面の間の角度は１８０度以下である、という形で配置されていること、
を特徴とする請求項１に記載のリングバインダ機構。
【請求項７】
制御手段は、制御手段が２つのヒンジプレートの内面に作用する形で配置されていること、
を特徴とする請求項６に記載のリングバインダ機構。
【請求項８】
２つのヒンジプレートは、それらの外面の間の角度がリングバインダ機構が閉じている際に１８０度以上になるという形で配置されていること、
を特徴とする請求項１に記載のリングバインダ機構。
【請求項９】
制御手段は、制御手段が２つのヒンジプレートの外面に作用する形で配置されていること、
を特徴とする請求項８に記載のリングバインダ機構。
【請求項１０】
ヒンジプレートをピボット運動させてリング部材を開けるためのスプリングをさらに有すること、
を特徴とする請求項１に記載のリングバインダ機構。
【請求項１１】
スプリングは、上向きに突き出した弓形の形状を有し、スプリングの中央で弓状に上向きに突き出した主要部分が相互接続されたヒンジプレートの外面に受け止められている、という形でヒンジプレートにはめ込まれていること、
を特徴とする請求項１０に記載のリングバインダ機構。
【請求項１２】
リング部材の自由端の形状およびサイズは、リングバインダ機構が開いている間、制御手段がハウジングの一方の端からもう一方の端まで回転するのを可能にする形で選択されていること、
を特徴とする請求項１に記載のリングバインダ機構。
【請求項１３】
リング部材の自由端の形状およびサイズは、リングバインダ機構が開いている間、制御手段がハウジングの一方の端からもう一方の端まで回転するのを妨げる形で選択されていること、  
を特徴とする請求項１に記載のリングバインダ機構。
【請求項１４】
２つのヒンジプレートの幅は異なっていること、
を特徴とする請求項１に記載のリングバインダ機構。
【請求項１５】
各リングのリング部材２つが異なるか、または非対称であり、幅の狭いヒンジプレートには長いリング部材が設置されている一方、幅の広いヒンジプレートには短いリング部材が設置されていること、
を特徴とする請求項１４に記載のリングバインダ機構。
【請求項１６】
制御手段は、制御レバーとヒンジプレートに作用するカム部分とを有すること、
を特徴とする請求項１に記載のリングバインダ機構。
【請求項１７】
カム部分とヒンジプレートとの間の摩擦を小さくするため、プラスチックのパッドブロックをさらに有すること、
を特徴とする請求項１６に記載のリングバインダ機構。
【請求項１８】
制御手段の制御レバーとカム部分とは、射出成形によりプラスチックで形成されていること、
を特徴とする請求項１６に記載のリングバインダ機構。
【請求項１９】
ハウジングの一方の長手方向のエッジ部分は下向きに曲げられて折り目になったリムを形成しており、もう一方の長手方向のエッジ部分には、ヒンジプレートを支持するため、長手方向に沿って、複数の突起部分がハウジングの内部の方へ突き出した形で設けられていること、
を特徴とする請求項１に記載のリングバインダ機構。
【請求項２０】
ハウジングには、リングバインダ機構をカバーに設置するための平らな延長部分が設けられていること、
を特徴とする請求項１９に記載のリングバインダ機構。
【請求項２１】
ハウジングのもう一方の長手方向のエッジ部分と２つの長手方向の端にはそれぞれ、平らな延長部分が形成されており、これら延長部分は同じ平面上で延びていること、
を特徴とする請求項２０に記載のリングバインダ機構。
【請求項２２】
ヒンジプレートを支持するため、ハウジングの２つの長手方向のエッジ部分は下向きに曲げられ、折り目になったリムを形成していること、
を特徴とする請求項１に記載のリングバインダ機構。
【請求項２３】
ハウジングには、複数の補強リブがハウジングを横切る形で形成されていること、
を特徴とする請求項１に記載のリングバインダ機構。
【請求項２４】
ルーズリーフ用紙を保持するためのリングバインダ機構であって、
上部と前記上部とほぼ対向した開口底部とを備えたハウジングと、
ハウジングに対してピボット運動できる形で前記ハウジングに支持された２つのヒンジプレートと、
ルーズリーフ用紙を保持するための複数のリングであって、リングはそれぞれリング部材を２つ有し、２つのリング部材のうち少なくとも一方は、対応するヒンジプレートに設置され、前記対応するヒンジプレートのピボット運動に伴いもう一方のリング部材に対して閉状態と開状態との間を移動することができ、２つのリング部材は、閉状態では、リングにより保持されたルーズリーフ用紙が１つのリング部材からもう１つのリング部材へリングに沿って移動できるようほぼ途切れのない閉じたループを形成しており、開状態では、リングからルーズリーフ用紙の出し入れできるよう途切れのある開いたループを形成している、という複数のリングと、
回転可能な形で設置された制御手段であって、回転してヒンジプレートのピボット運動を生じさせ、当該運動がリング部材を閉状態に動かす、という制御手段と、を有し、
２つのヒンジプレートの幅は異なっていること、
を特徴とするリングバインダ機構。
【請求項２５】
各リングのリング部材２つが異なるか、または非対称であり、幅の狭いヒンジプレートには長いリング部材が設置されている一方、幅の広いヒンジプレートには短いリング部材が設置されていること、
を特徴とする請求項２４に記載のリングバインダ機構。
【請求項２６】
リング部材はそれぞれ、ルーズリーフ用紙を保持するためのリング部分とヒンジプレートまたはハウジングに設置するためのリング部分とを有し、ハウジングの長手方向の端に近接する形で設置された２つのリングのうち少なくとも一方の２つのリング部材のうちヒンジプレートまたはハウジングに設置するためのリング部分は真っ直ぐで、２つのリング部材のうちルーズリーフ用紙を保持するためのリング部分が位置する平面に対してそれぞれ、９０度未満の内角を成していること、
を特徴とする請求項２４に記載のリングバインダ機構。
【請求項２７】
リング部材はそれぞれ、ルーズリーフ用紙を保持するためのリング部分とヒンジプレートまたはハウジングに設置するためのリング部分とを有し、ハウジングの長手方向の端に近接する形で設置された２つのリングのうち少なくとも一方の２つのリング部材のうちヒンジプレートまたはハウジングに設置するためのリング部分はL字形で、２つのリング部材のうちルーズリーフ用紙を保持するためのリング部分が位置する平面に対してそれぞれ、９０度の内角を成していること、
を特徴とする請求項２４に記載のリングバインダ機構。
【請求項２８】
各リングの２つのリング部材は対応する形で２つのヒンジプレートに設置されていること、
を特徴とする請求項２６または２７に記載のリングバインダ機構。
【請求項２９】
ハウジングの長手方向の端に近接する形で設置された２つのリングの２つのリング部材のヒンジプレートまたはハウジングに設置するためのリング部分が、２つのリング部材のルーズリーフ用紙を保持するためのリング部分が位置する平面に対して成す内角はそれぞれ９０度以下であること、
を特徴とする請求項２６または２７に記載のリングバインダ機構。
【請求項３０】
２つのヒンジプレートは、それらの外面の間の角度は１８０度以下である、という形で配置されていること、
を特徴とする請求項２４に記載のリングバインダ機構。
【請求項３１】
制御手段は、制御手段が２つのヒンジプレートの内面に作用する形で配置されていること、
を特徴とする請求項３０に記載のリングバインダ機構。
【請求項３２】
２つのヒンジプレートは、それらの外面の間の角度がリングバインダ機構が閉じている際に１８０度以上になるという形で配置されていること、
を特徴とする請求項２４に記載のリングバインダ機構。
【請求項３３】
制御手段は、制御手段が２つのヒンジプレートの外面に作用する形で配置されていること、
を特徴とする請求項３２に記載のリングバインダ機構。
【請求項３４】
ヒンジプレートをピボット運動させてリング部材を開けるためのスプリングをさらに有すること、
を特徴とする請求項２４に記載のリングバインダ機構。
【請求項３５】
スプリングは、上向きに突き出した弓形の形状を有し、スプリングの中央で弓状に上向きに突き出した主要部分が相互接続されたヒンジプレートの外面に受け止められている、という形でヒンジプレートにはめ込まれていること、
を特徴とする請求項３４に記載のリングバインダ機構。
【請求項３６】
リング部材の自由端の形状およびサイズは、リングバインダ機構が開いている間、制御手段がハウジングの一方の端からもう一方の端まで回転するのを可能にする形で選択されていること、
を特徴とする請求項２４に記載のリングバインダ機構。
【請求項３７】
リング部材の自由端の形状およびサイズは、リングバインダ機構が開いている間、制御手段がハウジングの一方の端からもう一方の端まで回転するのを妨げる形で選択されていること、  
を特徴とする請求項２４に記載のリングバインダ機構。
【請求項３８】
制御手段は、制御レバーとヒンジプレートに作用するカム部分とを有すること、
を特徴とする請求項２４に記載のリングバインダ機構。
【請求項３９】
カム部分とヒンジプレートとの間の摩擦を小さくするため、プラスチックのパッドブロックをさらに有すること、
を特徴とする請求項３８に記載のリングバインダ機構。
【請求項４０】
制御手段の制御レバーとカム部分とは、射出成形によりプラスチックで形成されていること、
を特徴とする請求項３８に記載のリングバインダ機構。
【請求項４１】
ハウジングの一方の長手方向のエッジ部分は下向きに曲げられて折り目になったリムを形成しており、もう一方の長手方向のエッジ部分には、ヒンジプレートを支持するため、長手方向に沿って、複数の突起部分がハウジングの内部の方へ突き出した形で設けられていること、
を特徴とする請求項２４に記載のリングバインダ機構。
【請求項４２】
ハウジングには、リングバインダ機構をカバーに設置するための平らな延長部分が設けられていること、
を特徴とする請求項４１に記載のリングバインダ機構。
【請求項４３】
ハウジングのもう一方の長手方向のエッジ部分と２つの長手方向の端にはそれぞれ、平らな延長部分が形成されており、これら延長部分は同じ平面上で延びていること、
を特徴とする請求項４２に記載のリングバインダ機構。
【請求項４４】
ヒンジプレートを支持するため、ハウジングの２つの長手方向のエッジ部分は下向きに曲げられ、折り目になったリムを形成していること、
を特徴とする請求項２４に記載のリングバインダ機構。
【請求項４５】
ハウジングには、複数の補強リブがハウジングを横切る形で形成されていること、
を特徴とする請求項２４に記載のリングバインダ機構。
【請求項４６】
リング部材はそれぞれ、ルーズリーフ用紙を保持するためのリング部分とヒンジプレートまたはハウジングに設置するためのリング部分とを有し、ヒンジプレートまたはハウジングに設置するためのリング部分とルーズリーフ用紙を保持するためのリング部分とは同じ平面上に位置していること、
を特徴とする請求項２４に記載のリングバインダ機構。
【請求項４７】
ルーズリーフ用紙を保持するためのリングバインダ機構であって、
上部と前記上部とほぼ対向した開口底部とを備えたハウジングと、
ハウジングに対してピボット運動できる形で前記ハウジングに支持された２つのヒンジプレートと、
ルーズリーフ用紙を保持するための複数のリングであって、リングはそれぞれリング部材を２つ有し、２つのリング部材のうち少なくとも一方は、対応するヒンジプレートに設置され、前記対応するヒンジプレートのピボット運動に伴いもう一方のリング部材に対して閉状態と開状態との間を移動することができ、２つのリング部材は、閉状態では、リングにより保持されたルーズリーフ用紙が１つのリング部材からもう１つのリング部材へリングに沿って移動できるようほぼ途切れのない閉じたループを形成しており、開状態では、リングからルーズリーフ用紙の出し入れできるよう途切れのある開いたループを形成している、という複数のリングと、を有し、
ハウジングには、リングバインダ機構をカバーに設置するための平らな延長部分が設けられていること、
を特徴とするリングバインダ機構。
【請求項４８】
ハウジングの２つの長手方向の端にはそれぞれ、平らな延長部分が形成されており、これら延長部分は同じ平面上で延びていること、
を特徴とする請求項４７に記載のリングバインダ機構。
【請求項４９】
ハウジングの一方の長手方向のエッジ部分は下向きに曲げられ、折り目になったリムを形成していること、
を特徴とする請求項４７または４８に記載のリングバインダ機構。
【請求項５０】
一方の長手方向のエッジ部分には、ヒンジプレートを支持するため、長手方向に沿って、複数の突起部分がハウジングの内部の方へ突き出した形で設けられていること、
を特徴とする請求項４７または４８に記載のリングバインダ機構。
【請求項５１】
平らな延長部分には固定手段を貫通させるための穴が形成されていること、
を特徴とする請求項４７または４８に記載のリングバインダ機構。
【請求項５２】
回転してヒンジプレートのピボット運動を生じさせ、当該運動がリング部材を閉状態に動かす、という回転可能な形で設置された制御手段をさらに有すること、
を特徴とする請求項４７または４８に記載のリングバインダ機構。
【請求項５３】
２つのヒンジプレートの幅は異なっていること、
を特徴とする請求項４７または４８に記載のリングバインダ機構。
【請求項５４】
各リングのリング部材２つが異なるか、または非対称であり、幅の狭いヒンジプレートには長いリング部材が設置されている一方、幅の広いヒンジプレートには短いリング部材が設置されていること、
を特徴とする請求項５３に記載のリングバインダ機構。
【請求項５５】
リング部材はそれぞれ、ルーズリーフ用紙を保持するためのリング部分とヒンジプレートまたはハウジングに設置するためのリング部分とを有し、ハウジングの長手方向の端に近接する形で設置された２つのリングのうち少なくとも一方の２つのリング部材のうちヒンジプレートまたはハウジングに設置するためのリング部分は真っ直ぐで、２つのリング部材のうちルーズリーフ用紙を保持するためのリング部分が位置する平面に対してそれぞれ、９０度未満の内角を成していること、
を特徴とする請求項４７に記載のリングバインダ機構。
【請求項５６】
リング部材はそれぞれ、ルーズリーフ用紙を保持するためのリング部分とヒンジプレートまたはハウジングに設置するためのリング部分とを有し、ハウジングの長手方向の端に近接する形で設置された２つのリングのうち少なくとも一方の２つのリング部材のうちヒンジプレートまたはハウジングに設置するためのリング部分はL字形で、２つのリング部材のうちルーズリーフ用紙を保持するためのリング部分が位置する平面に対してそれぞれ、９０度の内角を成していること、
を特徴とする請求項４７に記載のリングバインダ機構。
【請求項５７】
各リングの２つのリング部材は対応する形で２つのヒンジプレートに設置されていること、
を特徴とする請求項５５または５６に記載のリングバインダ機構。
【請求項５８】
ハウジングの長手方向の端に近接する形で設置された２つのリングの２つのリング部材のヒンジプレートまたはハウジングに設置するためのリング部分が、２つのリング部材のルーズリーフ用紙を保持するためのリング部分が位置する平面に対して成す内角はそれぞれ９０度以下であること、
を特徴とする請求項５５または５６に記載のリングバインダ機構。
【請求項５９】
２つのヒンジプレートは、それらの外面の間の角度は１８０度以下である、という形で配置されていること、
を特徴とする請求項４７または４８に記載のリングバインダ機構。
【請求項６０】
制御手段は、制御手段が２つのヒンジプレートの内面に作用する形で配置されていること、
を特徴とする請求項５９に記載のリングバインダ機構。
【請求項６１】
２つのヒンジプレートは、それらの外面の間の角度がリングバインダ機構が閉じている際に１８０度以上になるという形で配置されていること、
を特徴とする請求項４７または４８に記載のリングバインダ機構。
【請求項６２】
制御手段は、制御手段が２つのヒンジプレートの外面に作用する形で配置されていること、
を特徴とする請求項６１に記載のリングバインダ機構。
【請求項６３】
ヒンジプレートをピボット運動させてリング部材を開けるためのスプリングをさらに有すること、
を特徴とする請求項４７または４８に記載のリングバインダ機構。
【請求項６４】
スプリングは、上向きに突き出した弓形の形状を有し、スプリングの中央で弓状に上向きに突き出した主要部分が相互接続されたヒンジプレートの外面に受け止められている、という形でヒンジプレートにはめ込まれていること、
を特徴とする請求項６３に記載のリングバインダ機構。
【請求項６５】
リング部材の自由端の形状およびサイズは、リングバインダ機構が開いている間、制御手段がハウジングの一方の端からもう一方の端まで回転するのを可能にする形で選択されていること、  
を特徴とする請求項５２に記載のリングバインダ機構。
【請求項６６】
リング部材の自由端の形状およびサイズは、リングバインダ機構が開いている間、制御手段がハウジングの一方の端からもう一方の端まで回転するのを妨げる形で選択されていること、
を特徴とする請求項５２に記載のリングバインダ機構。
【請求項６７】
制御手段は、制御レバーとヒンジプレートに作用するカム部分とを有すること、
を特徴とする請求項５２に記載のリングバインダ機構。
【請求項６８】
カム部分とヒンジプレートとの間の摩擦を小さくするため、プラスチックのパッドブロックをさらに有すること、
を特徴とする請求項６７に記載のリングバインダ機構。
【請求項６９】
制御手段の制御レバーとカム部分とは、射出成形によりプラスチックで形成されていること、
を特徴とする請求項６７に記載のリングバインダ機構。
【発明の詳細な説明】
【技術分野】
【０００１】
本発明は、ルーズリーフ用紙を保持するためのリングバインダ機構、さらに詳しく言えば、材料を節約し、ルーズリーフ用紙を容易に出し入れすることができる改良リングバインダ機構に関する。
【背景技術】
【０００２】
従来技術において、ルーズリーフ用紙（たとえば、穴開き紙）をファイルまたはノートに保持するためバインダ機構が用いられている。たとえば、本発明の出願人により申請された中国特許出願２００５１００５５０２５.２号の図１５乃至１８（B）では、それぞれが２つのリング部材を有するリングを複数有するリングバインダ機構が開示されており、前記リング部材は、ピボット軸を中心として結合された隣接する２つのヒンジプレートに設置され、細長いハウジングの内部でピボット運動する。そのリングバインダ機構は、突起部が備えられた回転可能な制御手段をさらに有し、前記突起部は細長いハウジングの中央に設置されている。制御手段をハウジングの方へ下向きに回転すれば、制御手段の突起部は２つのヒンジプレートに作用してこれらを下向きにピボット運動させ、最後にはヒンジプレートに設置されたリング部材が閉じて固定し合う。リングバインダ機構を開けるには、制御手段をハウジングから遠ざける形で上向きに回転させると、ヒンジプレートに取り付けられたスプリングがヒンジプレートを同一平面上を通る形で上向きにピボット運動させ、リング部材が開く。
【０００３】
細長いハウジングは通常、少なくとも端の２つのリングの間で延びているため、従来技術のリングバインダ機構はより多くの材料を使用し、結果として生産コストはより高く、重量はより大きくなり、包装および輸送のコストが増す。また、従来技術のリングバインダ機構を開く場合、２つのリング部材の自由端の間の開きが、ルーズリーフ用紙の出し入れを容易にするには不十分である。加えて、一般的に従来技術のリングバインダ機構は、ファイルまたはノートのカバー、あるいはそれらと同様のものに、２つの長手方向の端でのみ取り付けられており、それらへの取り付けは便利でも強固でもないという問題もある。したがって、改良リングバインダ機構が必要とされている。
【発明の開示】
【発明が解決しようとする課題】
【０００４】
そこで、本発明は、リングバインダ機構を生産するための材料が著しく削減され、前記リングバインダ機構の生産、包装、そして輸送のコストを大きく削減できる、というリングバインダ機構を提供することを目的とする。
また、本発明は、２つのリング部材の自由端の間には、リングバインダ機構を開ける際のルーズリーフ用紙の出し入れを容易にできるだけの間隔が空く、というリングバインダ機構を提供することを目的とする。
【課題を解決するための手段】
【０００５】
１つの側面において、本発明によるルーズリーフ用紙を保持するためのリングバインダ機構は、上部と前記上部とほぼ対向した開口底部とを備えたハウジングと、ハウジングに対してピボット運動できる形で前記ハウジングに支持された２つのヒンジプレートと、ルーズリーフ用紙を保持するための複数のリングであって、リングはそれぞれリング部材を２つ有し、２つのリング部材のうち少なくとも一方は、対応するヒンジプレートに設置され、前記対応するヒンジプレートのピボット運動に伴いもう一方のリング部材に対して閉状態と開状態との間を移動することができ、２つのリング部材は、閉状態では、リングにより保持されたルーズリーフ用紙が１つのリング部材からもう１つのリング部材へリングに沿って移動できるようほぼ途切れのない閉じたループを形成しており、開状態では、リングからルーズリーフ用紙の出し入れできるよう途切れのある開いたループを形成している、という複数のリングと、回転可能な形で設置された制御手段であって、回転してヒンジプレートのピボット運動を生じさせ、当該運動がリング部材を閉状態に動かす、という制御手段と、を有し、リング部材はそれぞれ、ルーズリーフ用紙を保持するためのリング部分とヒンジプレートまたはハウジングに設置するためのリング部分とを有し、ハウジングの長手方向の端に近接する形で設置された２つのリングのうち少なくとも一方の２つのリング部材のうちヒンジプレートまたはハウジングに設置するためのリング部分が、２つのリング部材のうちルーズリーフ用紙を保持するためのリング部分が位置する平面に対して成す内角は、それぞれ９０度以下である。
【０００６】
別の側面において、本発明によるルーズリーフ用紙を保持するためのリングバインダ機構は、上部と前記上部とほぼ対向した開口底部とを備えたハウジングと、ハウジングに対してピボット運動できる形で前記ハウジングに支持された２つのヒンジプレートと、ルーズリーフ用紙を保持するための複数のリングであって、リングはそれぞれリング部材を２つ有し、２つのリング部材のうち少なくとも一方は、対応するヒンジプレートに設置され、前記対応するヒンジプレートのピボット運動に伴いもう一方のリング部材に対して閉状態と開状態との間を移動することができ、２つのリング部材は、閉状態では、リングにより保持されたルーズリーフ用紙が１つのリング部材からもう１つのリング部材へリングに沿って移動できるようほぼ途切れのない閉じたループを形成しており、開状態では、リングからルーズリーフ用紙の出し入れできるよう途切れのある開いたループを形成している、という複数のリングと、回転可能な形で設置された制御手段であって、回転してヒンジプレートのピボット運動を生じさせ、当該運動がリング部材を閉状態に動かす、という制御手段と、を有し、２つのヒンジプレートの幅は異なっている。
【０００７】
さらに別の側面において、本発明によるルーズリーフ用紙を保持するためのリングバインダ機構は、上部と前記上部とほぼ対向した開口底部とを備えたハウジングと、ハウジングに対してピボット運動できる形で前記ハウジングに支持された２つのヒンジプレートと、ルーズリーフ用紙を保持するための複数のリングであって、リングはそれぞれリング部材を２つ有し、２つのリング部材のうち少なくとも一方は、対応するヒンジプレートに設置され、前記対応するヒンジプレートのピボット運動に伴いもう一方のリング部材に対して閉状態と開状態との間を移動することができ、２つのリング部材は、閉状態では、リングにより保持されたルーズリーフ用紙が１つのリング部材からもう１つのリング部材へリングに沿って移動できるようほぼ途切れのない閉じたループを形成しており、開状態では、リングからルーズリーフ用紙の出し入れできるよう途切れのある開いたループを形成している、という複数のリングと、を有し、ハウジングの長手方向の一方のエッジ部分には、リングバインダ機構をカバーに設置するための平らな延長部分が設けられている。
【０００８】
本発明の１つの側面によるリングバインダ機構によれば、リング部材はそれぞれ、ルーズリーフ用紙を保持するためのリング部分とヒンジプレートへの設置のためのリング部分とを有し、ヒンジプレートへの設置のためのリング部分それぞれの、ルーズリーフ用紙を保持するためのリング部分が位置する平面に対する内角は９０度以下であるため、ハウジングの２つの長手方向の端にあるリング同士の間の長さが一定の場合はヒンジプレートへの設置のためのリング部分を適切に長くすることで、ヒンジプレートの長さ、したがって細長いハウジングの長さを著しく短縮することができる。結果として、ヒンジプレートおよび細長いハウジングの製造に用いられる材料を大きく削減することができ、リングバインダ機構の生産と、包装と、そして輸送のコストは著しく下がる。
【０００９】
本発明の別の側面によるリングバインダ機構によれば、２つのヒンジプレートは、その一方の幅が広く他方の幅が狭いという形で設計されているため、リングバインダ機構が閉状態から開状態に変化する際、幅が狭いヒンジプレートの移動の角度範囲は幅が広いヒンジプレートの移動の角度範囲より大きい。したがって、幅が狭いヒンジプレートに取り付けられたリング部材は、幅が狭いヒンジプレートの移動に伴って、より大きな角度範囲で開き、ルーズリーフ用紙を出し入れする開状態でのリング部材の自由端同士の間の距離はより大きくなる。
【発明を実施するための最良の形態】
【００１０】
本発明の他の特徴および効果については、添付図面を参照しながら、好ましい実施の形態に関する以下の詳細な説明を読めば、さらに明らかになるだろう。なお、全ての図および説明を通して、同じ参照番号は、同じまたは同様の部品を示すため用いられる。
図１乃至１２には、本発明の第１の実施の形態によるリングバインダ機構１００が示されている。リングバインダ機構１００は全体的には、ハウジング１０１と、２つのリング１０３と、２つのヒンジプレート１０５と、そして制御手段１０７とを有する。制御手段１０７はハウジング１０１に支持されており、リング１０３はヒンジプレート１０５に設置されている。後で説明するように、制御手段１０７をハウジングに対し回転させることで、リングバインダ機構１００を閉じた形で固定してルーズリーフ用紙を保持したり、リングバインダ機構１００を開けてルーズリーフ用紙をリング１０３から出し入れしたりすることができる。
【００１１】
ハウジング１０１は細長く、その断面は対称的なほぼアーチ型の形状となっている。平らな頂上部分１０９がハウジングの上部の中央に形成されている。ハウジング１０１は長手方向の軸と、長手方向に沿って伸びた形で対向する２つの長手方向のエッジ部分１１１と、そして２つの長手方向の端１１３とを有する。ハウジング１０１の一方の長手方向のエッジ部分１１１は、わずかに下向きに曲がり折り目になったリム１１１aを形成している。ハウジング１０１のもう一方の長手方向のエッジ部分１１１と２つの長手方向の端１１３にはそれぞれ、平らな延長部分１１１b、１１３a、１１３bが形成されており、これら延長部分１１１b、１１３a、１１３bは同じ平面上で延びている。図１３に示すように、リングバインダ機構１００をリベットのような固定手段によりファイルまたはノートのカバー１に固定できるよう、平らな延長部分１１１b、１１３a、１１３bには貫通穴が形成されている。平らな延長部分１１１bを備えたもう一方の長手方向のエッジ部分１１１には、長手方向に沿って、複数の突起部分１１５がハウジングの内部の方へ突き出した形で設けられている。明らかなように、同じ平面上で延びる平らな延長部分は、ハウジングの２つの長手方向の端１１３それぞれにおいてのみ形成してもよい。また、もう一方の長手方向のエッジ部分１１１もわずかに下向きに曲がり、折り目になったリムを形成している。あるいは、２つの長手方向の端にもハウジングの一方の長手方向のエッジ部分１１１にも平らな延長部分を備える形に形成されておらず、リングバインダ機構１００はファイルまたはノートのカバーに、ハウジングの穴を介してリベットのような固定手段により固定される、という形もある。後者は従来技術において公知である。ハウジング１０１は金属で作ってもよいが、金属以外でも、リングバインダ機構１００の構成部品を確実に安定した形で設置できるだけの剛性を有し、スプリングとして機能できるだけの弾性を有するのであれば、他の適当な素材で作ることも考えられる。
【００１２】
制御手段１０７を収容するための開口部１１７がハウジング１０１の平らな頂上部分１０９に形成され、開口部１１７の両側には位置合わせされた形で穴を備えた突起部分１１９が形成されている。制御手段１０７はピボットシャフト１２１により、ピボット運動可能な形でハウジング１０１に設置され、前記ピボットシャフト１２１は、制御手段１０７および突起部分１１９の穴を貫通する形で延びている。好ましい構成として、開口部１１７と突起部分１１９とは、ハウジング１０１へのパンチまたは切り抜きにより同時に形成される。ハウジング１０１の強度を高めるため、ハウジング１０１にはハウジング１０１を横切る形の複数の補強リブを形成してもよく、好ましい構成として、補強リブはパンチによりハウジング１０１に一体化された形で形成することができる。さらに、リング１０３を収容するため、対向する切り抜き１２３の組が、２つの長手方向のエッジ部分１１１とハウジング１０１の２つの長手方向の端１１３との間にそれぞれ設けられている。理解すべき点として、本発明の範囲内には、非対称形ハウジングなどの異なる形状のハウジング、および、異なる参照番号と異なった形状の開口部または切り抜きとを備えたハウジングも含まれる。
【００１３】
リング１０３はそれぞれリング部材１０３a、１０３bを有し、これらは２つあるヒンジプレート１０５のそれぞれに設置されている。２つのヒンジプレート１０５は、折り目になったリム１１１aおよび複数の突起部分１１５の他、ハウジング１０１によっても支持されており、ピボット運動でリング部材１０３a、１０３bを閉状態と開状態との間で移動させる。リング部材１０３a、１０３bは、円形の断面を有し、適当な金属（たとえば、スチール）で作ることができる。閉状態では、リング部材１０３a、１０３bは実質的に途切れのない閉じたＤ字形のループ状のリングまたはループを形成し、これはルーズリーフ用紙を保持すると共に、リング１０３に沿って１つのリング部材から別のリング部材へとルーズリーフが移動することを可能にする。開状態では、リング部材は用紙の出し入れに適した途切れのある開いたループを形成する。例示した実施の形態では、両方のリング部材が移動することができるが、移動可能なリング部材と固定されたリング部材を１つずつ有するという構造も本発明の範囲内に含まれる。さらに、３つ以上のリングを有する構造や、閉じた際に他の形状を形成する（たとえば、両方のリング部材が半円形である）リングを有する構造も本発明の範囲内に含まれる。
【００１４】
ヒンジプレート１０５はそれぞれ、薄く細長いシートで、長さはハウジング１０１よりわずかに短く、内側長手方向エッジ１２５と、外側長手方向エッジ１２７と、そして２つの長手方向の端とを有する。２つのヒンジプレート１０５は、それら自体の長手方向の端に沿って並列に置かれた形で相互接続され、ピボット軸を備えた中央ヒンジを形成している。これは、公知の方法で実現することができる。相互接続されたヒンジプレート１０５は、ハウジング１０１の内部に配置され、各ヒンジプレートの長手方向外側エッジ１２７がハウジング１０１の上部と、対応する折り目になったリム１１１aおよび複数の突起部分１１５との間にそれぞれ緩くはまっている、という形になる。この構造では、ヒンジプレート１０５はハウジング１０１の内部に配置されているが、ヒンジプレート１０５はピボット軸を中心としてピボット運動することができる。詳しく言えば、ヒンジプレート１０５がピボット運動してリング１０３を開ける際は、ピボット軸は図１２に示されているように上向きに（すなわち、ハウジング１０１の平らな頂上部分１０９の方に）移動する。ヒンジプレート１０５がピボット運動してリング１０３を閉じる際は、ピボット軸は図８に示されているように下向きに（すなわち、ハウジング１０１の平らな頂上部分１０９から遠ざかる形で）移動する。
【００１５】
さらに、ヒンジプレート１０５は次のような形で設計されている。その設計とは、ヒンジプレート１０５がハウジング１０１の内部でピボット運動する際、２つのヒンジプレート１０５の外面（すなわち、ハウジング１０１の平らな頂上部分１０９から見て外を向いた面）の間の角度は必ず１８０度未満で、かつ、ピボット軸は、２つのヒンジプレート１０５の同一平面上位置（すなわち、２つのヒンジプレート１０５の間の角度が１８０度となる位置）より下には絶対に移動しない、というものである。したがって、ハウジング１０１の弾性は常に、ヒンジプレート１０５のピボット軸を上向きに移動させ、リング部材１０３a、１０３bを閉じる方向ではなく開ける方向へとヒンジプレート１０５を移動させる。理解すべき点として、別の実施の形態においては、リングバインダ機構が閉じる際の２つのヒンジプレートの外面の間の角度が１８０度より大きい、という形にすることも可能である。こうした場合は、ハウジングの弾性は、ヒンジプレート１０５のピボット軸を下向きに移動させ、リング部材１０３a、１０３bを開ける方向ではなく閉じる方向へとヒンジプレート１０５を移動させる。加えて、本発明の特定の実施の形態においては、ヒンジプレートが上向きにも下向きにもピボット運動し、ピボット軸がヒンジプレートの同一平面上位置（１８０度）をまたいで移動することができる、という形に設計することも可能である。  
【００１６】
先述したように、ハウジング１０１は制御手段１０７を、当該手段１０７がハウジング１０１に対して回転できる形で支持している。この実施の形態の制御手段１０７は、制御レバーとカム部分１３１とを有している。この実施の形態において、制御レバー１２９とカム部分１３１とは、金属シートの折り曲げ加工により、互いに一体化された形で形成されている。しかし、それらは別個に形成し、その後に一緒に組み立てることも可能である。図８および９から見て取れるように、カム部分１３１は隔てられた２つのカムシート１３３で形作られている。カム部分１３１とヒンジプレート１０５との間の摩擦を小さくするため、隔てられた２つのカムシート１３３の間には対応する形状のパッドブロック１３５がはめられている。パッドブロック１３５は、隔てられた２つのカムシート１３３の間の隙間に２本のピン１３７により固定されている。好ましい構成として、パッドブロック１３５はプラスチックで作られている。先述したように、制御手段１０７はピボットシャフト１２１によりハウジング１０１にピボット運動可能な形で設置され、前記ピボットシャフト１２１は、制御手段１０７のカム部分１３１とハウジング１０１の突起部分１１９の穴とを貫通している。制御手段１０７は他の形状であってもよい。たとえば、２つのヒンジプレートの外面の間の角度が１８０度より大きく設定されている場合は、制御手段の構造は、ヒンジプレートにその下側（すなわち、ヒンジプレートの外面）から力を加えるものであればいかなる公知の構造であってもよい（たとえば、中国特許出願２００５１００５５０２５.２.号で開示されている制御手段）。
【００１７】
従来技術と異なり、本発明によるリングバインダ機構１００のリング部材１０３a、１０３bは同じ平面上に位置付けられていない。本発明によるリングバインダ機構１００のリング部材１０３a、１０３bはそれぞれ、ルーズリーフ用紙を保持するためのリング部分１０３a’、１０３b’と、ヒンジプレート１０５に設置するためのリング部分１０３a’’、１０３b’’とをそれぞれ有する。ヒンジプレート１０５に設置するためのリング部分１０３a’’、１０３b’’は、ルーズリーフ用紙を保持するためのリング部分１０３a’、１０３b’が位置する平面に対する内角が９０度以下となる形で、ヒンジプレート１０５に設置されている。好ましい構成として、ヒンジプレート１０５に設置するためのリング部分１０３a’’、１０３b’’は一般的に真っ直ぐで、ルーズリーフ用紙を保持するためのリング部分１０３a’、１０３b’が位置する平面に対して９０度未満の内角を成している。あるいは、ヒンジプレート１０５に設置するためのリング部分１０３a’’、１０３b’’は、一般的にL字形で、ルーズリーフ用紙を保持するためのリング部分１０３a’、１０３b’が位置する平面に対してほぼ９０度の内角を成している。リングバインダ機構１００が３つ以上のリング１０３を有する場合は、リング１０３のそれぞれのリング部材１０３a、１０３bのうちハウジングの２つの長手方向の端のすぐ近くの２つの部分は同じ平面上に位置しない。留意すべき点として、１つのリングのリング部材２つのうち一方がヒンジプレートに移動可能な形で設置され、もう一方はハウジングに固定された形で設置されている、というリングバインダ機構も本発明の範囲内に含まれる。
【００１８】
以下、リングバインダ機構の動作について、添付の図面を参照しながら説明する。制御手段１０７はリングバインダ機構１００を図１乃至８に示された閉固定状態と図１０乃至１２に示された開状態とに選択的に動かす。リングバインダ機構１００を閉じるには、図１０に示すように、リングバインダ機構の制御手段の制御レバー１２９を、制御手段のカム部分１３１の作用端部を２つのヒンジプレート１０５に押し付ける形でハウジングの方（下の方）へ回転させればよい。カム部分１３１の作用を受けて、ヒンジプレート１０５のピボット軸は、ハウジングの平らな頂上部分１０９から遠ざかる形で下向きに移動し、ヒンジプレート１０５に設置されたリング部材１０３a、１０３bはヒンジプレートのピボット運動と共にルーズリーフ用紙を保持する閉じたループを形成する形となる。閉固定状態においては、制御手段１０７のカム部分１３１はまだヒンジプレート１０５に押し付けられた状態のままなので、リング部材１０３a、１０３bは結合しており、互いに引き離されることはない。図８に示されているように、ヒンジプレート１０５の配置は、その外面の間の角度が最大値であるが、１８０度には満たない形（すなわち、ヒンジプレートのピボット軸が同一平面位置（１８０度）より上に位置する状態）となっている。
【００１９】
リングバインダ機構１００を開くには、制御手段のカム部分１３１を２つのヒンジプレート１０５から引き離す形で、図６に示すリングバインダ機構の制御手段の制御レバー１２９を上向き（ハウジングから遠ざかる方）に回転させればよい。手動、または、ハウジング１０１の弾性でリング部材を引き離せば、ヒンジプレート１０５のピボット軸は上向きにハウジングの平らな頂上部分１０９の方へ移動し、ヒンジプレート１０５に設置されたリング部材１０３a、１０３bはヒンジプレートのピボット運動に伴って互いと離れることになる。ハウジング１０１の弾性により、リング部材１０３a、１０３bはルーズリーフ用紙の出し入れに適した開状態のまま維持される。図１２に示されているように、開状態におけるヒンジプレート１０５は、その外面の間の角度が最小値となる位置にある。
【００２０】
本発明のリングバインダ機構１００においては、リング部材１０３a、１０３bがそれぞれ、ルーズリーフ用紙を保持するためのリング部分１０３a’、１０３b’と、ヒンジプレート１０５に設置するためのリング部分１０３a’’、１０３b’’とをそれぞれ有し、リング部分１０３a’’、１０３b’’は、ルーズリーフ用紙を保持するためのリング部分１０３a’、１０３b’が位置する平面に対して９０度以下の内角を成す形でヒンジプレート１０５に設置されているため、ハウジングの２つの長手方向の端におけるリング１０３同士の間の長さが一定の場合は、ヒンジプレート１０５に設置するためのリング部分１０３a’’、１０３b’’の長さを適切に伸ばすことにより、ヒンジプレート１０５の長さ、したがって細長いハウジング１０１の長さを著しく短縮することができる。結果として、ヒンジプレートと細長いハウジングとの製造に用いられる材料を大きく削減でき、リングバインダ機構の製造と、包装と、輸送とにかかるコストは著しく低くなる。
【００２１】
図１４乃至１８は、本発明の第２の実施の形態によるリングバインダ機構２００を示している。第２の実施の形態のリングバインダ機構２００の構成部品のうち、第１の実施の形態のリングバインダ機構１００の構成部品に対応するものには、それらと同じ参照番号に１００を加えたもので表示してある。第２の実施の形態の構造に関して、第１の実施の形態の構造と同じものについての詳細な説明は省略する。第２の実施の形態によるリングバインダ機構２００は、第１の実施の形態によるリングバインダ機構１００と次の点を除いてほぼ同様である。その点とは、リングバインダ機構２００は図１５に示されたスプリング２３９を有する、というものである。スプリング２３９は２つのヒンジプレート２０５の底部に固定され、ヒンジプレート２０５をピボット運動させてリング部材２０３a、２０３bを開く。スプリング２３９を収容するためのノッチ２４１がヒンジプレート２０５それぞれの外側長手方向エッジ２２７上の対応する位置に形成されている。スプリング２３９は円形の断面の金属ワイヤから作られ、開いた端部２４３と閉じた端部２４５とを備えた多角形の形状に形成されている。閉じた端部２４５は上向きにほぼ９０度曲げられ、相互接続されたヒンジプレート２０５のうち一方のノッチ２４１にはめ込まれている。スプリング２３９の開いた端部２４３は遠位の２つの自由端を有し、これらの自由端はそれぞれ、２度曲げられた形（第１に、金属ワイヤを上向きにほぼ９０度曲げ、第２に曲げられた遠位端を外向きにほぼ９０度曲げる、というもの）で形成されている。遠位の２つの自由端は、相互接続されたヒンジプレート２０５のうちもう一方が有するノッチに取り外し可能な形ではめ込まれる。スプリング２３９の中央の主要部分２４７は、全体的に弓形の形状で上向きに突き出している。スプリング２３９が２つのヒンジプレート２０５にはめ込まれると、スプリング２３９の中央の主要部分２４９は、相互接続されたヒンジプレート２０５のほぼ下方に接する位置に来る。
【００２２】
図１８に示されているように、リング部材２０３a、２０３bが開いた状態となる位置にヒンジプレート２０５が置かれている際、スプリング２３９は比較的緩くなっている。スプリング２３９のうち全体的に弓形の形状で上向きに突き出した中央の主要部分２４７は、ヒンジプレート２０５の外面の間の角度は１８０度には満たない（すなわち、ヒンジプレートのピボット軸が、ヒンジプレート２０５と同一平面上（１８０度）より上に位置する状態）、という形でヒンジプレート２０５に受け止められている。リングバインダ機構２００を閉じるには、図１７に示すように、リングバインダ機構の制御手段の制御レバー２２９を、ハウジングの方（下の方）に回転させて、制御手段２０７のカム部分２３１の作用端部が２つのヒンジプレート２０５に押し付けられる形にすればよい。カム部分２３１の作用を受けて、ヒンジプレート２０５のピボット軸はハウジングの平らな頂上部分２０９から遠ざかる形で下方に移動し、ヒンジプレート２０５と同一平面上位置（１８０度）を通過し、ヒンジプレート２０５に設置されたリング部材２０３a、２０３bはヒンジプレートのピボット運動に伴って一体につながり、ルーズリーフ用紙を保持する閉じたループを形成する。閉固定状態において、スプリング２３９は適切に力を受けて弓状の主要部分２４７が平らになる。図１４に示すように、リングバインダ機構２００の制御手段２０７の制御レバー２２９が、ハウジングから遠ざかる形で上向きに回転させられると、制御手段のカム部分２３１は２つのヒンジプレート２０５から離れる。この際に、力を受けていたスプリング２３９は元の形状に戻り、自動的に、ヒンジプレート２０５を同一平面上位置（１８０度）を通過する形で上向きにピボット運動させて、リング部材２０３a、２０３bを開く。
【００２３】
この実施の形態において、スプリング２３９はヒンジプレート２０５をピボット運動させてリング部材２０３a、２０３bを開き、開いた２０３a、２０３bを引き離された状態のままに保つ。つまり、スプリング２３９はハウジングの弾性と同じ機能を有する。本機構２００の効果的な効果とは、ハウジングの弾性を減少または除去し、単にスプリング２３９だけによってヒンジピレート２０５に力を加えることが可能である、というものである。このことにより、ヒンジプレート２０５が下向きにピボット運動し、同一平面上位置（１８０度）を通過することがより容易に可能となり、したがって、リングバインダ機構２００を閉じるのが簡単になる。さらに、完全にリング部材を手動で操作することなく、リングバインダ機構を開けることができる。
【００２４】
図１９乃至２３は、本発明の第３の実施の形態によるリングバインダ機構３００を示している。第３の実施の形態のリングバインダ機構３００の構成部品のうち第１の実施の形態のリングバインダ機構１００の構成部品に対応するものには、それらと同じ参照番号に２００を加えたもので表示してある。第３の形態の構造に関して、第１の実施の形態の構造と同じものについての詳細な説明は省略する。第３の実施の形態によるリングバインダ機構３００は、第１の実施の形態によるリングバインダ機構１００とほぼ同様であるが、両者の間にはリング部材の構造にわずかな違いがある。図１０および１１、そして特に図１２に示されているように、本発明の第１の実施の形態によるリングバインダ機構１００が開いている際、制御手段１０７の制御レバー１２９は、その全長が原因となって、ハウジングの一方の端から他方の端までの回転がリング部材１０３aの自由端のために妨げられる。つまり、制御レバー１２９の回転位置は、ルーズリーフ用紙の出し入れが不便になるような形で制限されている。図２１乃至２３に示されているように、本発明の第３の実施の形態によるリングバインダ機構３００において、リング部材３０３a、３０３bの自由端の形状およびサイズは、制御手段３０７の制御レバー３２９がハウジング３０１の一方の端からもう一方の端へ回転し、したがってルーズリーフ用紙を出し入れしやすくすることが可能な形に設計されている。
【００２５】
図２４乃至３８は、本発明の第４の実施の形態によるリングバインダ機構４００を示している。第４の実施の形態のリングバインダ機構４００の構成部品のうち第１の実施の形態のリングバインダ機構１００の構成部品に対応するものには、それらと同じ参照番号に３００を加えたもので表示してある。第４の形態の構造に関して、第１の実施の形態の構造と同じものについての詳細な説明は省略する。第４の実施の形態によるリングバインダ機構４００は、第１の実施の形態によるリングバインダ機構１００とほぼ同様であるが、両者の間にはヒンジプレートの構造にわずかな違いがある。図９に示されているように、第１の実施の形態によるリングバインダ機構１００の２つのヒンジプレート１０５の幅は互いに等しい（このことは、図８および１２にも示されている）。リングバインダ機構１００が開く際に、幅の等しいヒンジプレート１０５は比較的小さな範囲を移動し、これによりリング部材１０３a、１０３bの自由端同士の間に開く距離は制限される。図３１、３２、そして３５に示されているように、本発明の第４の実施の形態によるリングバインダ機構４００において、２つのヒンジプレート４０５は、一方の幅は広くもう一方の幅は狭い、という形で作られている。図３８に示されているように、リングバインダ機構４００が閉状態から開状態に変化する際に、幅の狭いヒンジプレート４０５の移動の角度範囲△Aは、幅の広いヒンジプレート４０５の移動の角度範囲△Bより大きい。したがって、幅の狭いヒンジプレート４０５に取り付けられたリング部材は、幅の狭いヒンジプレートの移動に伴いより大きな範囲で開くことができ、開状態においてリング部材の自由端同士の間に開く距離はより大きくなり、ルーズリーフ用紙の出し入れが容易になる。好ましい構成として、各リングのリング部材２つが異なったものとするか、または非対称とする場合、幅の狭いヒンジプレート４０５には長いリング部材４０３aが、幅の広いヒンジプレート４０５には短いリング部材４０３bが取り付けられる。２つのヒンジプレート４０５の幅が異なる場合でも、ハウジング４０１の形状は対称形にしてもよいし、または図３８に示されているように非対称な形状にしてもよい。留意すべき点として、ルーズリーフ用紙を保持するためのリング部分４０３a’、４０３b’と、ヒンジプレート４０５に設置するためのリング部分４０３a’’、４０３b’’とは同じ平面上に位置し、ヒンジプレートの長手方向に対して垂直の方向で前記ヒンジプレートに設置されている、というリングバインダ機構も本発明の範囲内に含まれる。
【００２６】
図３９乃至４５は、本発明の第５の実施の形態によるリングバインダ機構５００を示している。第５の実施の形態のリングバインダ機構５００の構成部品のうち第４の実施の形態のリングバインダ機構４００の構成部品に対応するものには、それらと同じ参照番号に１００を加えたもので表示してある。第５の形態の構造に関して、第４の実施の形態の構造と同じものについての詳細な説明は省略する。第５の実施の形態によるリングバインダ機構５００は、第４の実施の形態によるリングバインダ機構４００と次の点を除いてほぼ同様である。その点とは、リングバインダ機構５００が図３９、４１、４２、そして４４に示されたスプリング５３９を有する、というものである。スプリング５３９は２つのヒンジプレート５０５の底部にはめ込まれ、ヒンジプレート５０５をピボット運動させてリング部材５０３a、５０３bを開く。スプリング５３９を収容するためのノッチ５４１がヒンジプレート５０５それぞれの外側長手方向エッジ５２７上の対応する位置に形成されている。スプリング５３９は円形の断面の金属ワイヤから作られ、開いた端部５４３と閉じた端部５４５とを備えた多角形の形状に形成されている。閉じた端部５４５は上向きにほぼ９０度曲げられ、相互接続されたヒンジプレート５０５のうち一方のノッチ５４１にはめ込まれている。スプリング５３９の開いた端部５４３は遠位の２つの自由端を有し、これらの自由端はそれぞれ、２度曲げられた形（第１に、金属ワイヤを上向きにほぼ９０度曲げ、第２に曲げられた遠位端を外向きにほぼ９０度曲げる、というもの）で形成されている。遠位の２つの自由端は、相互接続されたヒンジプレート５０５のうちもう一方が有するノッチに取り外し可能な形ではめ込まれる。スプリング５３９の中央の主要部分５４７は、全体的に弓形の形状で上向きに突き出している。スプリング５３９が２つのヒンジプレート５０５にはめ込まれると、スプリング５３９の中央の主要部分５４７は、相互接続されたヒンジプレート５０５のほぼ下方に接する位置に来る。
図４４に示されているように、リング部材５０３a、５０３bが開いた状態となる位置にヒンジプレート５０５が置かれている際、スプリング５３９は比較的緩くなっている。スプリング５３９のうち全体的に弓形の形状で上向きに突き出した中央の主要部分５４７は、ヒンジプレート５０５の外面の間の角度は１８０度には満たない（すなわち、ヒンジプレートのピボット軸が、ヒンジプレート５０５と同一平面上（１８０度）より上に位置する状態）、という形でヒンジプレート５０５に受け止められている。リングバインダ機構５００を閉じるには、図４３に示すように、リングバインダ機構の制御手段の制御レバー５２９を、ハウジングの方（下の方）に回転させて、制御手段５０７のカム部分５３１の作用端部が２つのヒンジプレート５０５に押し付けられる形にすればよい。カム部分５３１の作用を受けて、ヒンジプレート５０５のピボット軸はハウジングの平らな頂上部分５０９から遠ざかる形で下方に移動し、ヒンジプレート５０５と同一平面上位置（１８０度）を通過し、ヒンジプレート５０５に設置されたリング部材５０３a、５０５bはヒンジプレートのピボット運動に伴って一体につながり、ルーズリーフ用紙を保持する閉じたループを形成する。閉固定状態において、スプリング５３９は適切に力を受けて弓状の主要部分５４７が平らになる。リングバインダ機構５００の制御手段５０７の制御レバー５２９が、ハウジングから遠ざかる形で上向きに回転させられると、制御手段のカム部分５３１は２つのヒンジプレート５０５から離れる。この際に、力を受けていたスプリング５３９は元の形状に戻り、自動的に、ヒンジプレート５０５を同一平面上位置（１８０度）を通過する形で上向きにピボット運動させて、リング部材５０３a、５０３bを開く。
【００２７】
この実施の形態において、スプリング５３９はヒンジプレート５０５をピボット運動させてリング部材５０３a、５０３bを開き、開いた５０３a、５０３bを引き離された状態のままに保つ。つまり、スプリング５３９はハウジングの弾性と同じ機能を有する。本機構５００の効果的な効果とは、ハウジングの弾性を減少または除去し、単にスプリング５３９だけによってヒンジピレート５０５に力を加えることが可能である、というものである。このことにより、ヒンジプレート５０５が下向きにピボット運動し、同一平面上位置（１８０度）を通過することがより容易に可能となり、したがって、リングバインダ機構２００を閉じるのが簡単になる。さらに、完全にリング部材を手動で操作することなく、リングバインダ機構を開けることができる。
図４６乃至４９は、本発明の第６の実施の形態によるリングバインダ機構６００を示している。第６の実施の形態のリングバインダ機構６００の構成部品のうち第４の実施の形態のリングバインダ機構４００の構成部品に対応するものには、それらと同じ参照番号に２００を加えたもので表示してある。第６の形態の構造に関して、第４の実施の形態の構造と同じものについての詳細な説明は省略する。第６の実施の形態によるリングバインダ機構６００は、第４の実施の形態によるリングバインダ機構４００とほぼ同様であるが、両者の間にはリング部材の構造にわずかな違いがある。図４７および４９に示されているように、本発明の第６の実施の形態によるリングバインダ機構６００において、リング部材６０３a、６０３bの自由端の形状およびサイズは、制御手段６０７の制御レバー６２９がハウジング６０１の一方の端からもう一方の端まで回転するのを妨げる形で作られている。
【００２８】
図５０乃至５３は、本発明の第７の実施の形態によるリングバインダ機構７００を示している。第７の実施の形態のリングバインダ機構７００の構成部品のうち第４の実施の形態のリングバインダ機構４００の構成部品に対応するものには、それらと同じ参照番号に３００を加えたもので表示してある。第７の形態の構造に関して、第４の実施の形態の構造と同じものについての詳細な説明は省略する。第７の実施の形態によるリングバインダ機構７００は、第４の実施の形態によるリングバインダ機構４００と以下の点を除いてほぼ同様である。その点とは、本発明の第７の実施の形態によるリングバインダ機構７００では、制御手段７０７のカム部分７３１の隔てられた２つのカムシート７３３の間に配置されるパッドブロックとパッドブロック設置用のピンとが省かれている、というものである。したがって、要望どおりに生産工程をより容易にし生産コストをさらに縮小できる。      
【００２９】
図５４乃至５７は、本発明の第８の実施の形態によるリングバインダ機構８００を示している。第８の実施の形態のリングバインダ機構８００の構成部品のうち第４の実施の形態のリングバインダ機構４００の構成部品に対応するものには、それらと同じ参照番号に４００を加えたもので表示してある。第８の形態の構造に関して、第４の実施の形態の構造と同じものについての詳細な説明は省略する。第８の実施の形態によるリングバインダ機構８００は、第４の実施の形態によるリングバインダ機構４００と以下の点を除いてほぼ同様である。その点とは、本発明の第８の実施の形態によるリングバインダ機構８００の制御手段８０７の制御レバー８２９とカム部分８３１とは、射出成形工程により一体化された形でプラスチックで作られている、というものである。したがって、要望どおりに生産工程をより容易にし生産コストをさらに縮小できる。
【００３０】
図５８乃至６３は、本発明の第９の実施の形態によるリングバインダ機構９００を示している。第９の実施の形態のリングバインダ機構９００の構成部品のうち第４の実施の形態のリングバインダ機構４００の構成部品に対応するものには、それらと同じ参照番号に５００を加えたもので表示してある。第９の形態の構造に関して、第４の実施の形態の構造と同じものについての詳細な説明は省略する。第９の実施の形態によるリングバインダ機構９００は、第４の実施の形態によるリングバインダ機構４００と以下の点を除いてほぼ同様である。その点とは、ルーズリーフ用紙を保持するためのリング部分９０３a’、９０３b’と、ヒンジプレート９０５に設置するためのリング部分９０３a’’、９０３b’’とは同じ平面上に位置し、それらはヒンジプレートの長手方向に対して垂直の方向に前記ヒンジプレートに設置されている、というものである。
【００３１】
さらに、この実施の形態においては、ハウジング９０１の長手方向のエッジ部分９１１にも長手方向の端９１３にも平らな延長部分が形成されていない。２つの長手方向のエッジ部部分９１１はわずかに下向きに曲げられ、２つの対応するヒンジプレート９０５の外側長手方向エッジを収容する折り目になったリム９１１a、９１１bを形成している。ハウジング９０１には、ハウジングの２つの長手方向の端９１３に近接する位置に、開口部９４９が形成されている。相互接続される２つのヒンジプレート９０５の内側長手方向エッジにはそれぞれ、対応する形で切り欠き９５１が形成されている。したがって、リングバインダ機構９００は、リベットのような固定手段により、ファイルまたはノートのカバーに固定することができる。
【００３２】
本発明によるリングバインダ機構のさまざまな実施の形態の主要な構成部品は、金属（たとえば、鋼鉄）といった剛性のある適切な素材で作られている。しかし、非金属性の素材（具体的に言えば、プラスチックなど）で作られたリングバインダ機構も本発明の範囲から外れるものではない。
本発明の範囲を逸脱しない形で上記のリングバインダ機構にはさまざまな変更を加えることができるため、上記記載に含まれ添付の図面に示された全ての内容は、非限定的な例として理解されるべきものである。
【図面の簡単な説明】
【００３３】
【図１】本発明の第１の実施の形態によるリングバインダ機構を閉固定状態において示す正面図である。
【図２】本発明の第１の実施の形態によるリングバインダ機構を閉固定状態において示す左側面図である。
【図３】本発明の第１の実施の形態によるリングバインダ機構を閉固定状態において示す右側面図である。
【図４】本発明の第１の実施の形態によるリングバインダ機構を閉固定状態において示す平面図である。
【図５】本発明の第１の実施の形態によるリングバインダ機構を閉固定状態において示す底面図である。
【図６】本発明の第１の実施の形態によるリングバインダ機構を閉固定状態において示す上側からの斜視図である。
【図７】本発明の第１の実施の形態によるリングバインダ機構を閉固定状態において示す底側からの斜視図である。
【図８】図６の断面線８−８に沿った断面図である。
【図９】本発明の第１の実施の形態によるリングバインダ機構の分解斜視図である。
【図１０】本発明の第１の実施の形態によるリングバインダ機構を開状態において示す上側からの斜視図である。
【図１１】本発明の第１の実施の形態によるリングバインダ機構を開状態において示す底側からの斜視図である。
【図１２】本発明の第１の実施の形態によるリングバインダ機構の内部構造を開状態において示す部分的な概略断面図である。
【図１３】本発明の第１の実施の形態によるリングバインダ機構がファイルカバーに取り付けられた状態を示す概略図である。
【図１４】本発明の第２の実施の形態によるリングバインダ機構を閉固定状態において示す上側からの斜視図である。
【図１５】本発明の第２の実施の形態によるリングバインダ機構の分解斜視図である。
【図１６】本発明の第２の実施の形態によるリングバインダ機構の内部構造を閉固定状態において示す部分的な概略断面図である。
【図１７】本発明の第２の実施の形態によるリングバインダ機構を開状態において示す上側からの斜視図である。
【図１８】本発明の第２の実施の形態によるリングバインダ機構の内部構造を開状態において示す部分的な概略断面図である。
【図１９】本発明の第３の実施の形態によるリングバインダ機構の内部構造を閉固定状態において示す部分的な概略断面図である。
【図２０】本発明の第３の実施の形態によるリングバインダ機構の分解斜視図である。
【図２１】本発明の第３の実施の形態によるリングバインダ機構を開状態において示す上側からの斜視図である。
【図２２】本発明の第３の実施の形態によるリングバインダ機構の内部構造を開状態において示す部分的な概略断面図である。
【図２３】本発明の第３の実施の形態によるリングバインダ機構を開状態において示す、別の上側からの斜視図であって、制御手段はハウジングの他方の端まで回された形で示されている。
【図２４】本発明の第４の実施の形態によるリングバインダ機構を閉固定状態において示す正面図である。
【図２５】本発明の第４の実施の形態によるリングバインダ機構を閉固定状態において示す左側面図である。
【図２６】本発明の第４の実施の形態によるリングバインダ機構を閉固定状態において示す右側面図である。
【図２７】本発明の第４の実施の形態によるリングバインダ機構を閉固定状態において示す平面図である。
【図２８】本発明の第４の実施の形態によるリングバインダ機構を閉固定状態において示す底面図である。
【図２９】本発明の第４の実施の形態によるリングバインダ機構を閉固定状態において示す上側からの斜視図であって、組み立て状態における内部構造を明確に示すためハウジングの一部と１対のリングとを省略して示した図である。
【図３０】本発明の第４の実施の形態によるリングバインダ機構を閉固定状態において示す底側からの斜視図である。
【図３１】図２４の断面線３１−３１に沿った断面図である。
【図３２】本発明の第４の実施の形態によるリングバインダ機構の分解斜視図である。
【図３３】本発明の第４の実施の形態によるリングバインダ機構を開状態において示す上側からの斜視図である。
【図３４】本発明の第４の実施の形態によるリングバインダ機構を開状態において示す底側からの斜視図である。
【図３５】本発明の第４の実施の形態によるリングバインダ機構の内部構造を開状態において示す部分的な概略断面図である。
【図３６】本発明の第４の実施の形態によるリングバインダ機構を開状態において示す、別の上側からの斜視図であって、制御手段はハウジングの他方の端まで回された形で示されている。
【図３７】図３６に対応する底側からの斜視図である。
【図３８】ヒンジプレートの移動範囲を示す図である。
【図３９】本発明の第５の実施の形態によるリングバインダ機構の分解斜視図である。
【図４０】本発明の第５の実施の形態によるリングバインダ機構を閉固定状態において示す上側からの斜視図であって、組み立て状態における内部構造を明確に示すためハウジングの一部と１対のリングとを省略して示した図である。
【図４１】本発明の第５の実施の形態によるリングバインダ機構を閉固定状態において示す斜視図である。
【図４２】本発明の第５の実施の形態によるリングバインダ機構の内部構造を閉固定状態において示す部分的な概略断面図である。
【図４３】本発明の第５の実施の形態によるリングバインダ機構を開状態において示す上側からの斜視図である。
【図４４】本発明の第５の実施の形態によるリングバインダ機構の内部構造を開状態において示す部分的な概略断面図である。
【図４５】本発明の第５の実施の形態によるリングバインダ機構を開状態において示す、別の上側からの斜視図であって、制御手段はハウジングの他方の端まで回された形で示されている。
【図４６】本発明の第６の実施の形態によるリングバインダ機構を閉固定状態において示す上側からの斜視図である。
【図４７】本発明の第６の実施の形態によるリングバインダ機構の分解斜視図である。
【図４８】本発明の第６の実施の形態によるリングバインダ機構を開状態において示す上側からの斜視図である。
【図４９】本発明の第６の実施の形態によるリングバインダ機構の内部構造を開状態において示す部分的な概略断面図である。
【図５０】本発明の第７の実施の形態によるリングバインダ機構を閉固定状態において示す上側からの斜視図である。
【図５１】本発明の第７の実施の形態によるリングバインダ機構の内部構造を閉固定状態において示す部分的な概略断面図である。
【図５２】本発明の第７の実施の形態によるリングバインダ機構の分解斜視図である。
【図５３】本発明の第７の実施の形態によるリングバインダ機構を開状態において示す、別の上側からの斜視図であって、制御手段はハウジングの他方の端まで回された形で示されている。
【図５４】本発明の第８の実施の形態によるリングバインダ機構を閉固定状態において示す底側からの斜視図である。
【図５５】図５４の断面線５５−５５に沿った断面図である。
【図５６】本発明の第８の実施の形態によるリングバインダ機構の分解斜視図である。
【図５７】本発明の第８の実施の形態によるリングバインダ機構を開状態において示す、別の上側からの斜視図であって、制御手段はハウジングの他方の端まで回された形で示されている。
【図５８】本発明の第９の実施の形態によるリングバインダ機構を示す正面図である。
【図５９】本発明の第９の実施の形態によるリングバインダ機構を示す左側面図である。
【図６０】本発明の第９の実施の形態によるリングバインダ機構を示す上面図である。
【図６１】本発明の第９の実施の形態によるリングバインダ機構を示す底面図である。
【図６２】本発明の第９の実施の形態によるリングバインダ機構の分解斜視図である。
【図６３】本発明の第９の実施の形態によるリングバインダ機構を開状態において示す、別の上側からの斜視図であって、制御手段はハウジングの他方の端まで回された形で示されている。
【符号の説明】
【００３４】
１００  リングバインダ機構
１０１  ハウジング
１０３  リング
１０５  ヒンジプレート
１０７  制御手段
【図１】
2007245721.tif 000003
【図２】
2007245721.tif 000004
【図３】
2007245721.tif 000005
【図４】
2007245721.tif 000006
【図５】
2007245721.tif 000007
【図６】
2007245721.tif 000008
【図７】
2007245721.tif 000009
【図８】
2007245721.tif 000010
【図９】
2007245721.tif 000011
【図１０】
2007245721.tif 000012
【図１１】
2007245721.tif 000013
【図１２】
2007245721.tif 000014
【図１３】
2007245721.tif 000015
【図１４】
2007245721.tif 000016
【図１５】
2007245721.tif 000017
【図１６】
2007245721.tif 000018
【図１７】
2007245721.tif 000019
【図１８】
2007245721.tif 000020
【図１９】
2007245721.tif 000021
【図２０】
2007245721.tif 000022
【図２１】
2007245721.tif 000023
【図２２】
2007245721.tif 000024
【図２３】
2007245721.tif 000025
【図２４】
2007245721.tif 000026
【図２５】
2007245721.tif 000027
【図２６】
2007245721.tif 000028
【図２７】
2007245721.tif 000029
【図２８】
2007245721.tif 000030
【図２９】
2007245721.tif 000031
【図３０】
2007245721.tif 000032
【図３１】
2007245721.tif 000033
【図３２】
2007245721.tif 000034
【図３３】
2007245721.tif 000035
【図３４】
2007245721.tif 000036
【図３５】
2007245721.tif 000037
【図３６】
2007245721.tif 000038
【図３７】
2007245721.tif 000039
【図３８】
2007245721.tif 000040
【図３９】
2007245721.tif 000041
【図４０】
2007245721.tif 000042
【図４１】
2007245721.tif 000043
【図４２】
2007245721.tif 000044
【図４３】
2007245721.tif 000045
【図４４】
2007245721.tif 000046
【図４５】
2007245721.tif 000047
【図４６】
2007245721.tif 000048
【図４７】
2007245721.tif 000049
【図４８】
2007245721.tif 000050
【図４９】
2007245721.tif 000051
【図５０】
2007245721.tif 000052
【図５１】
2007245721.tif 000053
【図５２】
2007245721.tif 000054
【図５３】
2007245721.tif 000055
【図５４】
2007245721.tif 000056
【図５５】
2007245721.tif 000057
【図５６】
2007245721.tif 000058
【図５７】
2007245721.tif 000059
【図５８】
2007245721.tif 000060
【図５９】
2007245721.tif 000061
【図６０】
2007245721.tif 000062
【図６１】
2007245721.tif 000063
【図６２】
2007245721.tif 000064
【図６３】
2007245721.tif 000065
【外国語明細書】
2007245721.tif 000066
2007245721.tif 000067
2007245721.tif 000068
2007245721.tif 000069
2007245721.tif 000070
2007245721.tif 000071
2007245721.tif 000072
2007245721.tif 000073
2007245721.tif 000074
2007245721.tif 000075
2007245721.tif 000076
2007245721.tif 000077
2007245721.tif 000078
2007245721.tif 000079
2007245721.tif 000080
2007245721.tif 000081
2007245721.tif 000082
2007245721.tif 000083
2007245721.tif 000084
2007245721.tif 000085
2007245721.tif 000086
2007245721.tif 000087
2007245721.tif 000088
2007245721.tif 000089
2007245721.tif 000090
2007245721.tif 000091
2007245721.tif 000092
2007245721.tif 000093
2007245721.tif 000094
2007245721.tif 000095
2007245721.tif 000096
2007245721.tif 000097
2007245721.tif 000098
2007245721.tif 000099
2007245721.tif 000100
2007245721.tif 000101
2007245721.tif 000102
2007245721.tif 000103
2007245721.tif 000104
2007245721.tif 000105
2007245721.tif 000106
2007245721.tif 000107
2007245721.tif 000108
2007245721.tif 000109
2007245721.tif 000110
2007245721.tif 000111
2007245721.tif 000112
2007245721.tif 000113
2007245721.tif 000114
2007245721.tif 000115
2007245721.tif 000116
2007245721.tif 000117
2007245721.tif 000118
2007245721.tif 000119
2007245721.tif 000120
2007245721.tif 000121
2007245721.tif 000122
2007245721.tif 000123
2007245721.tif 000124
2007245721.tif 000125
2007245721.tif 000126
2007245721.tif 000127
2007245721.tif 000128
2007245721.tif 000129
2007245721.tif 000130
2007245721.tif 000131
2007245721.tif 000132
2007245721.tif 000133
2007245721.tif 000134
2007245721.tif 000135
2007245721.tif 000136
2007245721.tif 000137
2007245721.tif 000138
2007245721.tif 000139
2007245721.tif 000140
2007245721.tif 000141
2007245721.tif 000142
2007245721.tif 000143
2007245721.tif 000144
2007245721.tif 000145
2007245721.tif 000146
2007245721.tif 000147
2007245721.tif 000148